(57)【要約】【課題】映像ミュートを行うことなく、複数の映像を瞬時に切り換えることができる映像表示装置を提供する。【解決手段】表示装置の電源が投入されているとき、クロマキー色指定部２１は色相判別部２２にクロマキー色としてピンク色に等しいＲＧＢレベルを設定する。ユーザがナビ画像（映像２）を選択している状態では、ナビ画像にクロマキー色、すなわち、ピンク色が含まれていないため、色相判別部２２がクロマキー信号を生成しないので、映像合成部２３は、常時、映像２の画素を選択し、ディスプレイにナビ画像が表示される。一方、ユーザが映像切換えを指示すると、ナビ画像がピンク色画像に切り換えられ、色相判別部２２は常時クロマキー信号を生成し、映像合成部２３は、常時、ＲＡＭ１１からのＴＶ映像（映像１）の画素を選択するので、ディスプレイにＴＶ映像が表示される。【選択図】図４
2008099254.tif 000002
【特許請求の範囲】
【請求項１】
入力される複数の映像の中の一つの映像のクロマキー色を判別するクロマキー色判別手段と、
上記クロマキー色判別手段の出力に基づいて複数の映像を画素ごとに切り換えて映像を重ね合わせる映像合成手段とを備え、
上記クロマキー色判別手段に入力される映像の画素の全てを上記クロマキー色画像に切り換えることにより、複数の映像を切り換えることを特徴とする映像表示装置。
【請求項２】
入力される複数の映像の中の一つの映像のクロマキー色を判別するクロマキー色判別手段と、
上記クロマキー色判別手段の出力に基づいて複数の映像を画素ごとに切り換えて映像を重ね合わせる映像合成手段とを備え、
上記クロマキー色判別手段に入力される映像の画素の一部を上記クロマキー色画像に切り換えることにより、複数の映像を重ね合わせることを特徴とする映像表示装置。
【請求項３】
３種類以上の映像入力があるとき、クロマキー色を複数個設定することを特徴とする、請求項１または請求項２に記載された映像表示装置。
【請求項４】
クロマキー色画像信号を発生する色画像発生手段と、
入力される複数の映像信号の一つと上記色画像発生手段からのクロマキー色画像信号とを切り換える切換手段と、
入力される複数の映像信号の内、上記切換手段に入力される映像信号以外の映像信号を記憶する記憶手段と、
上記切換手段からの映像信号中のクロマキー色を判別するクロマキー色判別手段と、
上記クロマキー色判別手段の出力に基づいて上記切換手段からの映像信号と上記記憶手段に記憶された映像信号を画素ごとに切り換えて映像を重ね合わせる映像合成手段とを備え、
上記切換手段により映像の画素の全てを上記クロマキー色画像に切り換えることにより、複数の映像を切り換えることを特徴とする映像表示装置。
【請求項５】
クロマキー色画像信号を発生する色画像発生手段と、
入力される複数の映像信号の一つと上記色画像発生手段からのクロマキー色画像とを切り換える切換手段と、
入力される複数の映像信号の内、上記切換手段に入力される映像信号以外の映像信号を記憶する記憶手段と、
上記切換手段からの映像信号中のクロマキー色を判別するクロマキー色判別手段と、
上記クロマキー色判別手段の出力に基づいて上記切換手段からの映像信号と上記記憶手段に記憶された映像信号を画素ごとに切り換えて映像を重ね合わせる映像合成手段とを備え、
上記切換手段により映像信号の画素の一部を上記クロマキー色画像に切り換えることにより、複数の映像を重ね合わせることを特徴とする映像表示装置。
【請求項６】
上記記憶手段の読み書きを制御する制御手段を備え、上記制御手段が上記切換手段に入力される映像の同期信号と上記記憶手段に記憶される映像の同期信号とのずれ及び画像表示位置に応じて上記記憶手段に記憶された映像の読み出し位置を制御することにより複数の映像の同期ずれを解消することを特徴とする、請求項４または請求項５に記載された映像表示装置。
【発明の詳細な説明】
【技術分野】
【０００１】
本発明は、例えば、カーナビゲーション装置からの画像とテレビ受信装置からの映像等、複数の映像を切換え表示する映像表示装置に関する。
【背景技術】
【０００２】
車両においては、表示装置全体の小型化、薄型化を図ることができる液晶表示装置をカーナビの表示装置として用い、カーナビの不使用時は、映像切換を行ってテレビ映像やＤＶＤからの映像を見ることができるようになっている。
図１は、上記のように複数の映像を切り換える、従来の映像表示装置を示す図であり、映像１と映像２を切り換える場合、ＣＰＵ５１からの指示により、映像処理ＬＳＩ５２が表示する映像を選択して映像を切り換え、ディスプレイ５３に入力するようにしている。
【０００３】
このように、映像切換回路により映像を切り換えると、画像切換処理により生じるノイズ画像が表示画面に見えるようになるので、映像信号を切り換える映像切換回路から出力された映像信号に黒ミュート信号を重ね合わせることにより、表示画面全体を黒背景とするようにしている。
【０００４】
すなわち、図２（ａ）、（ｂ）に示すように映像１と映像２の垂直同期信号が時間的にずれており、映像１と映像２を単純に切り換えた場合、切換え時点では、図２（ｃ）に示すように、ディスプレイ５３が映像１の垂直同期信号により映像表示を行っているため、映像２の垂直同期信号がディスプレイ５３に入力されるまで画像は乱れた状態となり、同期ずれした画像が表示画面に見えてしまう。
【０００５】
このため、映像１と映像２の映像切換を実行する場合、映像切換え時に、図２（ｅ）に示すように、ミュート信号をオンし、ディスプレイ５３のバックライトをオフすることにより、ディスプレイ５３に黒画面を表示した後、図２（ｄ）に示すように、映像処理ＬＳＩ５２で映像１から映像２へ切り換える。そして、映像２の垂直同期信号が入力された時点で、図２（ｅ）に示すように、ミュート信号をオフすることにより、ディスプレイ５３のバックライトをオンし、ディスプレイ５３に映像２を表示するようにしている。
【０００６】
一方、別々に撮影された映像を合成して、あたかも１つのカメラ装置で撮影された映像のように見せる画像合成方法として、クロマキー技法が知られている。このクロマキー技法は、例えば青色や緑色のスクリーンを背景にして主画像となる被写体（人物等）を撮影し、この主画像データから色データ（クロマキーデータ）を抽出する。そして、このクロマキーデータに、あらかじめ撮影した背景となる背景画像データを合成して出力することにより、容易に画像を合成することができる（例えば、特許文献１参照）。
【特許文献１】特開平１０−１５０５８５号公報
【発明の開示】
【発明が解決しようとする課題】
【０００７】
従来、映像を切り換える場合には、映像処理ＬＳＩにより映像を切り換えていたが、入力映像は非同期であるため、映像を切り換える度にディスプレイのＴＦＴ同期をあわせる必要があり、上記のように、映像が乱れている間は、ユーザに乱れた映像を見せないように映像ミュートを行う必要があった。
【０００８】
このように、映像切換えの度に、映像ミュートのための黒画像を一定時間挿入すると、ユーザに映像を瞬時に提供することが不可能であり、また、映像切換えの度にミュート制御を行う必要があるため、ＣＰＵの処理量が増えるという問題があった。
【０００９】
本発明は、上記の問題に鑑みてなされたもので、映像ミュートを行うことなく、複数の映像を瞬時に切り換えることができる、映像表示装置を提供することを目的とする。
【課題を解決するための手段】
【００１０】
上述の目的を達成するため、本発明に係る映像表示装置は、上記のクロマキー技法を利用し、複数の映像のクロマキー合成を常時行うとともに、複数の映像の一つにクロマキー色画像を挿入することにより、複数の映像の切換え、あるいは、同一画面上での異なる映像の重ね合わせを行うことを特徴とする。
【発明の効果】
【００１１】
本発明に係る映像表示装置によれば、クロマキー技法を利用して映像を切り換えることにより同期乱れが発生せず、映像ミュートの必要がなくなるので、瞬時に映像を切り換えることができるとともに、ＣＰＵの負荷を軽減することができる。
【実施例１】
【００１２】
以下、本発明の映像表示装置の実施例について、図面を用いて説明する。
図３は本発明の映像表示装置を適用した車載用表示装置の構成を示すブロック図であり、この車載用表示装置は映像処理ＬＳＩ１、ＴＶ受像機２、ナビゲーション装置３、ＣＰＵ４、ディスプレイ５により構成されている。
【００１３】
ＣＰＵ４により制御される画像処理ＬＳＩ１は、ＲＡＭ１１、重ね合わせ処理部１２より構成され、ＴＶ受像機２からのＴＶ映像、ナビゲーション装置３からのナビゲーション画像（以下、ナビ画像という）が、映像１、映像２として入力される。これらの映像のどちらか一方、本実施例では映像１を同期合わせを行うために一旦ＲＡＭ１１に格納した後、ＲＡＭ１１から読み出された映像１と映像２を重ね合わせ処理部１２に入力する。
このように、映像１としては、ＤＶＤ映像、ＴＶ映像等、映像に使われている色を制御できないものを使用し、映像２としては、クロマキー色を用いることが可能な映像、すなわち、色を制御可能な映像を使用する。
【００１４】
ディスプレイ５は、映像処理ＬＳＩ１からの映像を表示する一方、ＣＰＵ４を介してナビゲーション装置３から入力された操作画像を表示することにより、種々の機能の操作画面の表示を行う。このディスプレイ５の表示部を構成するＬＣＤ表示部にはタッチパネルスイッチが配設され、ＬＣＤ表示部に表示された項目部分を押下することで、対応する項目の選択や機能の実行を行うことができる。
【００１５】
また、ＣＰＵ４は、重ね合わせ処理部１２で使用するクロマキー色の設定及び映像処理ＬＳＩ１自体の設定を行うとともに、ＲＡＭ１１に記憶された映像１の画素信号の読み出し位置を制御することにより、映像１と映像２の同期合わせを行う。すなわち、映像２の映像信号によりディスプレイ５の同期を実行するとともに、ＣＰＵ４がＲＡＭ１１に記憶された映像１の画素信号の読出し位置を、映像２の垂直同期信号と映像１の垂直同期信号とのずれ及びディスプレイ５の画像表示位置に応じて制御することにより、同期ずれを解消する。
【００１６】
図４は、図３の映像処理ＬＳＩ１の重ね合わせ処理部１２の機能を示す機能ブロック図であり、クロマキー色指定部２１、色相判別部２２、映像合成部２３により構成されている。
クロマキー色指定部２１は、ＣＰＵ４の制御により色相判別部２２で使用されるクロマキー色のＲＧＢレベルを設定し、色相判別部２２は映像２に含まれるクロマキー処理用レベルに等しいＲＧＢレベルを有する画素を検知し、その検知信号をクロマキー信号として映像合成部２３に入力する。
【００１７】
また、映像合成部２３には、上記のように、映像２の画素がクロマキー処理用レベルに等しいＲＧＢレベルを有する場合、色相判別部２２からクロマキー信号が入力され、クロマキー信号が入力されていない場合は、映像２の画素信号を出力し、クロマキー信号が入力されている場合は、ＲＡＭ１１から読み出した映像１の画素信号を出力することにより、映像１と映像２を画素レベルで合成してディスプレイ５に出力する。
なお、これらの機能は、ハードウェアにより実現することができるが、ＣＰＵ、ＲＯＭ、ＲＡＭ等を使用してソフトウェアにより実現することも可能である。
【００１８】
一方、ＣＰＵ４は映像１の画素信号をＲＡＭ１１に格納するための制御を実行することにより、図５に示すように映像１の画素信号のデータを１ライン毎に記憶し、映像１の読み出し時には、上記のように、映像２の垂直同期信号と映像１の垂直同期信号とのずれ及び画像表示位置に応じてＲＡＭ１１に記憶された映像１の画素信号の読出し位置（図５の★印の位置）を制御して、映像１の映像信号を出力する。
【００１９】
また、図６はナビケーション装置３の構成を示すブロック図であり、ナビ画像生成部３１、クロマキー色画像発生部３２、ＣＰＵ３３、操作部３４、スイッチ３５により構成されている。このナビゲーション装置３は、ＧＰＳセンサやジャイロセンサからなる現在位置検出部や道路地図データを含む地図データを格納する地図データ格納部等を備えているが、本発明に関与する以外の部分については、図示を省略している。
【００２０】
そして、ナビ画像生成部３１は、上記の地図データや車両位置情報を含むナビ画像を生成してスイッチ３５に入力し、クロマキー色画像発生部３２は映像処理ＬＳＩ１で使用されるクロマキー色、例えば、ピンク色の画像信号を発生してスイッチ３５に入力する。また、スイッチ３５はＣＰＵ３３の制御により、端子Ｓ１、Ｓ２を切り換えることにより、ナビ画像生成部３１またはクロマキー色画像発生部３２からの画像を選択して出力する。
一方、操作部３４は、ナビゲーションの操作キーや画像選択キーを含む複数の操作キーよりなるが、ディスプレイ５のタッチパネルによりこれらの操作キーの一部又は全部を代用することも可能である。
【００２１】
次に、上記の車載用表示装置の動作について説明する。
車載用表示装置の電源が投入されているとき、ＣＰＵ４はクロマキー色指定部２１にクロマキー色としてピンク色を指定するように指示し、クロマキー色指定部２１は色相判別部２２にクロマキー色としてピンク色に等しいＲＧＢレベルを設定する。
【００２２】
そして、ユーザがナビ画像を選択している状態では、ナビケーション装置３のＣＰＵ３３は、スイッチ３５を図７（ａ）に示すように、端子Ｓ１に切り換えているので、図７（ｂ）に示すように、ナビゲーション装置３からはナビ画像が映像２として出力され、図８に示すように、映像処理ＬＳＩ１にＴＶ受像機２からのＴＶ映像が映像１として入力され、ナビゲーション装置３からのナビ画像が映像２として入力される。
【００２３】
この状態では、ナビ画像にクロマキー色、すなわち、ピンク色が含まれていないため、図７（ｃ）に示すように、重ね合わせ処理部１２の色相判別部２２がクロマキー信号を生成しないので、映像合成部２３は図７（ｄ）に示すように、常時、映像２、すなわち、ナビ画像を映像出力として出力し、図８に示すように、ディスプレイ５にナビ画像が表示される。
【００２４】
一方、ユーザがナビケーション装置３の操作部３４から映像切換えを指示すると、ＣＰＵ３３は図７（ａ）に示すように、スイッチ３５をクロマキー色画像発生部３２側、すなわち、端子Ｓ２側に切り換え、図７（ｂ）に示すように、ナビゲーション装置３からはピンク色画像が映像２として出力されるので、図９に示すように、映像処理ＬＳＩ１にはＴＶ受像機２からのＴＶ映像が映像１として入力され、ナビゲーション装置３からピンク色画像が映像２として入力される状態となる。
【００２５】
したがって、重ね合わせ処理部１２の色相判別部２２は、図７（ｃ）に示すように、常時、クロマキー信号を生成して映像合成部２３に入力するので、図７（ｄ）に示すように、映像合成部２３は、常時、ＲＡＭ１１から読み出された映像１、すなわち、ＴＶ映像を映像出力として出力し、図９に示すように、ディスプレイ５にＴＶ映像が表示される。
【００２６】
このように、複数の映像の一つをクロマキー色画像に切り換えることにより、複数の映像の切換えを行うことができるとともに、ディスプレイ５のＴＦＴへの同期信号を映像２の垂直同期信号に基づいて生成し、ＲＡＭ１１に記憶された映像１の画素信号の読み出しを、映像２の垂直同期信号と映像１の垂直同期信号とのずれ及び画像表示位置に応じて制御するので、映像２と映像１を切り換えても映像乱れは発生せず、瞬時に映像を切り換えることができるとともに、ミュート制御を実行する必要がないので、ＣＰＵ４の負荷を軽減することができる。
【実施例２】
【００２７】
上記の実施例では、映像２の全ての画素をクロマキー色（ピンク色）とすることにより、ディスプレイ５の表示画面の全面で映像を切換え表示するようにしたが、映像２の一部分に映像１を表示することも可能であり、以下、映像２の一部分に映像１を表示する場合の実施例について説明する。なお、装置構成は図３〜図６と同様であるので、装置構成の説明は省略する。
【００２８】
実施例１と同様に、ユーザがナビ画像を選択している場合、ナビケーション装置３のＣＰＵ３３は、スイッチ３５を図６の端子Ｓ１に切り換え、ナビゲーション装置３からはナビ画像が映像２として出力されているので、図８に示すように、映像処理ＬＳＩ１にＴＶ受像機２からのＴＶ映像が映像１として入力され、ナビゲーション装置３からのナビ画像が映像２として入力されている。
この状態では、上記と同様に、ナビ画像がクロマキー色を含んでいないため、重ね合わせ処理部１２の色相判別部２２がクロマキー信号を生成しないので、映像合成部２３は、常時、映像２の画素を選択し、図８に示すように、ディスプレイ５にナビ画像が表示される。
【００２９】
一方、ユーザが操作部３４から映像の重ね合わせを指示すると、ＣＰＵ３３は、図１０（ａ）に示すように、ナビ画像の所定範囲において、スイッチ３５をクロマキー色画像発生部３２側、すなわち、端子Ｓ２側に切り換えるので、図１０（ｂ）に示すように、ナビゲーション装置３からはナビ画像とピンク色画像が切り換えられて映像２として出力され、図１１に示すように、映像処理ＬＳＩ１にＴＶ受像機２からのＴＶ映像が映像１として入力された状態で、ナビゲーション装置３からナビ画像の一部にピンク色画像が挿入された画像が映像２として入力される。
【００３０】
したがって、ナビ画像の一部のピンク色画像の部分では、図１０（ｃ）に示すように、重ね合わせ処理部１２の色相判別部２２がクロマキー信号を生成して映像合成部２３に入力し、このクロマキー信号が入力されている状態では、映像合成部２３がＲＡＭ１１から読み出した映像１の画素を選択して出力するので、図１０（ｄ）に示すように、映像合成部２３は、ナビ画像とＴＶ映像を切り換えて映像出力として出力し、ディスプレイ５の画面は、図１１に示すように、ナビ画像の一部にＴＶ映像が表示された状態となる。
【００３１】
この場合も、上記と同様に、ディスプレイ５のＴＦＴへの同期信号を映像２の垂直同期信号に基づいて生成し、ＲＡＭ１１に記憶された映像１の画素信号の読み出しを、映像２の垂直同期信号と映像１の垂直同期信号とのずれ及び画像表示位置に応じて制御することにより、映像乱れが発生することなく、ナビ画像の一部分にＴＶ映像を表示することができる。
【００３２】
なお、上記のようにＲＡＭ１１に二つの映像の一方を記憶し、読み出し位置を制御することにより同期合わせを行うようにした場合、クロマキー処理を使用せず、図１２（ａ）に示すように、重ね合わせ画以外の矩形領域、すなわち、重ね合わせ画の透明色領域の表示開始座標、表示終了座標として、Ｘ開始座標、Ｘ終了座標、Ｙ開始ライン、Ｙ終了ラインをレジスタにより設定し、この設定に応じて画像を切換えることにより二つの映像の重ね合わせを行うことも可能である。しかしながら、図１０(ａ)〜（ｄ）に示すように、４つの重ね合わせ画面を設定する場合、各々の画面を表示する時に、レジスタ処理が必要となるが、本発明のクロマキー処理によれば、範囲指定の必要がなく、上記のレジスタ処理が不要となるので、映像処理ＬＳＩでのレジスタ処理を減らすことが可能となる。
【実施例３】
【００３３】
以上の実施例では、画像処理ＬＳＩへの入力映像が２個の場合について説明したが、入力映像が３個以上の場合にも、本発明の映像表示装置を適用することができ、以下、映像が３個の場合について説明する。
図１３は本実施例の車載用表示装置の構成を示す図であり、図３の構成に加えて、ＤＶＤプレーヤ６からの画像が映像３として入力されている点、重ね合わせ処理部１２、ナビゲーション装置３の構成が異なる点を除いて、図３の構成と同様であるので、その他の構成についての説明は省略する。
【００３４】
図１４は、図１３の映像処理ＬＳＩ１の重ね合わせ処理部１２の機能を示す機能ブロック図であり、クロマキー色指定部４１、４２、色相判別部４３、４４、映像合成部４５、４６により構成されている。
クロマキー色指定部４１、４２は、ＣＰＵ４の制御により色相判別部４３、４４で使用されるクロマキー色のＲＧＢレベルを設定し、色相判別部４３、４４は映像２に含まれるクロマキー処理用レベルに等しいＲＧＢレベルを有する画素を検知し、その検知信号をクロマキー信号Ｃａ、Ｃｂとして映像合成部４５、４６に入力する。
【００３５】
一方、映像合成部４５は、色相判別部４３からクロマキー信号Ｃａが入力されていない場合は、映像２の画素信号を出力し、クロマキー信号Ｃａが入力されている場合は、ＲＡＭ１１から読み出された映像１の画素信号を出力することにより、画像を合成し映像合成部４６に出力する。また、映像合成部４６は、色相判別部４４からクロマキー信号Ｃｂが入力されていない場合は、映像合成部４５からの映像の画素信号を出力し、クロマキー信号Ｃｂが入力されている場合は、ＲＡＭ１１から読み出された映像３の画素信号を出力することにより映像を合成し、映像出力としてディスプレイ５に入力する。
【００３６】
また、ＣＰＵ４は映像１、映像３の画素信号のＲＡＭ１１への書き込み、読み出しの制御を実行し、映像１の画素信号の読出し時には、映像２の垂直同期信号と映像１の垂直同期信号とのずれ及び画像表示位置に応じてＲＡＭ１１に記憶された映像１の画素信号の読出し位置を制御して映像１の画素信号を出力する。また、映像３の画素信号の読出し時には、映像２の垂直同期信号と映像３の垂直同期信号とのずれ及び画像表示位置に応じてＲＡＭ１１に記憶された映像３の画素信号の読出し位置を制御して映像３の画素信号を出力する。
【００３７】
一方、図１３のナビゲーション装置３は、図１５に示すように、クロマキー色画像発生部として、ピンク色画像発生部３６と緑色画像発生部３７を備えている点を除いて図４の構成と同様であるので、その他の構成については説明を省略する。
【００３８】
次に、本実施例の車載表示装置の動作について説明する。
車載用表示装置の電源が投入されているとき、ＣＰＵ４はクロマキー色指定部４１にクロマキー色としてピンク色を指定するように指示し、クロマキー色指定部４２にクロマキー色として緑色を指定するように指示する。これにより、クロマキー色指定部４１は色相判別部４３にクロマキー色としてピンク色のＲＧＢレベルを設定し、クロマキー色指定部４２は色相判別部４４にクロマキー色として緑色のＲＧＢレベルを設定する。
【００３９】
そして、ユーザがナビ画像を選択している状態では、図１６（ａ）に示すように、ナビケーション装置３のＣＰＵ３３は、スイッチ３５を図１５に示す状態、すなわち、端子Ｓ１に切り換えており、図１６（ｂ）に示すように、映像２としてナビ画像が出力されているので、映像処理ＬＳＩ１に映像１としてＴＶ受像機２からのＴＶ映像が、映像２としてナビゲーション装置３からのナビ画像が、映像３としてＤＶＤプレーヤ６からの映像が入力される。
【００４０】
この状態では、ナビ画像がクロマキー色を含んでいないため、図１６（ｃ）、（ｄ）に示すように、重ね合わせ処理部１２の色相判別部４３、４４はクロマキー信号Ｃａ、Ｃｂを生成せず、映像合成部４５は、常時、映像２の画素を選択し、映像合成部４６は、常時、映像合成部４５の出力映像の画素を選択するので、図１６（ｅ）に示すように、映像出力としてナビ画像が出力され、ディスプレイ５にナビ画像が表示される。
【００４１】
そして、ユーザがナビケーション装置３の操作部３４からＴＶ映像への切換えを指示すると、ＣＰＵ３３は、図１６(ａ)に示すように、スイッチ３５をピンク色画像発生部３６側、すなわち、端子Ｓ２側に切り換え、図１６（ｂ）に示すように、映像２として全ての画素がピンク色の画像が出力されるので、図１６（ｃ）に示すように、重ね合わせ処理部１２の色相判別部４３がクロマキー信号Ｃａを生成して映像合成部４５に入力し、映像合成部４５は、映像１、すなわち、ＴＶ映像の画素を選択して、映像合成部４６に出力する。
【００４２】
一方、図１６（ｄ）に示すように、色相判別部４４はクロマキー信号Ｃｂを生成せず、映像合成部４６は、図１６（ｅ）に示すように、映像出力として映像合成部４５からの画像、すなわち、ＴＶ映像の画素を選択して出力するので、ディスプレイ５にＴＶ受像機２からのＴＶ映像が出力される。
【００４３】
また、ユーザがナビケーション装置３の操作部３４からＤＶＤ映像への切換えを指示すると、ＣＰＵ３３は、図１７（ａ）に示すようにスイッチ３５を緑色画像発生部３７側、すなわち、端子Ｓ３側に切り換え、図１７（ｂ）に示すように、映像２として全ての画素が緑色の画像を出力するので、図１７（ｃ）に示すように、重ね合わせ処理部１２の色相判別部４３はクロマキー信号Ｃａを生成せず、映像合成部４５は、映像２、すなわち、緑色画像の画素を選択して、映像合成部４６に出力する。
【００４４】
一方、図１７（ｄ）に示すように、色相判別部４４はクロマキー信号Ｃｂを生成して映像合成部４６に入力するので、映像合成部４６は、図１７（ｅ）に示すように、映像出力として映像３、すなわち、ＤＶＤ映像の画素を選択して出力し、ディスプレイ５にＤＶＤプレーヤ６からのＤＶＤ映像が表示される。
このように、入力映像が３個以上の場合にも、クロマキー色を複数個設定することにより、瞬時に映像を切り換えることができる。
【実施例４】
【００４５】
上記の実施例では、映像２の全ての画素をクロマキー色（ピンク色または緑色）とすることにより、表示画面の全面で映像を切換え表示したが、映像２の一部分に映像１または映像３、あるいは、映像１及び映像３を同時に表示することも可能であり、以下、映像２の一部分に映像１及び映像３を同時に表示する場合の実施例について説明する。
なお、装置構成は図１３〜図１５と同様であるので、装置構成についての説明は省略する。
【００４６】
実施例３と同様に、車載用表示装置の電源が投入されているとき、ＣＰＵ４はクロマキー色指定部４１にクロマキー色としてピンク色を指定するように指示し、クロマキー色指定部４２にクロマキー色として緑色を指定するように指示する。これにより、クロマキー色指定部４１は色相判別部４３にクロマキー色としてピンク色のＲＧＢレベルを設定し、クロマキー色指定部４２は色相判別部４４にクロマキー色として緑色のＲＧＢレベルを設定する。
【００４７】
そして、ユーザがナビ画像を選択しているとき、ナビゲーション装置３のＣＰＵ３３は、スイッチ３５を図１５の端子Ｓ１に切り換えており、映像処理ＬＳＩ１に映像１としてＴＶ受像機２からのＴＶ映像が、映像２としてナビゲーション装置３からのナビ画像が、映像３としてＤＶＤプレーヤ６からの映像が入力されている。
この状態では、ナビ画像がクロマキー色を含んでいないため、色相判別部４３、４４はクロマキー信号Ｃａ、Ｃｂを生成せず、映像合成部４５は、常時、映像２の画素を選択し、映像合成部４６は、常時、映像合成部４５の出力映像の画素を選択するので、映像１、映像３は全く重ね合わせ画面に表示されず、ディスプレイ５にナビ画像が表示される。
【００４８】
一方、ユーザがナビケーション装置３の操作部３４からＴＶ映像とＤＶＤ映像の同時表示を指示すると、ナビゲーション装置３のＣＰＵ３３は、図１８（ａ）に示すように、ナビ画像の二つの所定範囲において、スイッチ３５をピンク色画像発生部３６側、すなわち、端子Ｓ２側、または、緑色画像発生部３７側、すなわち、端子Ｓ３側に切り換えるので、図１８（ｂ）に示すように、ナビゲーション装置３からはナビ画像とピンク色画像、緑色画像が切り換えられて映像２として出力される。これにより、図１９に示すように、映像処理ＬＳＩ１にＴＶ受像機２からのＴＶ映像が映像１として入力され、ＤＶＤプレーヤ６からのＤＶＤ映像が映像３として入力された状態で、ナビゲーション装置３からナビ画像の一部にピンク色画像及び緑色画像が挿入された画像が映像２として入力される。
【００４９】
そして、上記と同様に、ナビ画像の一部のピンク色画像の部分では、図１８（ｃ）に示すように、色相判別部４３がクロマキー信号Ｃａを生成して映像合成部４５に入力するので、映像合成部４５が映像１、すなわち、ＴＶ映像の画素を選択して、映像合成部４６に出力する。このとき、図１８（ｄ）に示すように、色相判別部４４はクロマキー信号Ｃｂを生成しないので、映像合成部４６は、図１８（ｅ）に示すように、映像合成部４５からの画像、すなわち、ＴＶ映像の画素を選択し、映像出力としてディスプレイ５に入力する。
【００５０】
また、ナビ画像の一部の緑色画像の部分では、図１８（ｃ）に示すように、色相判別部４３はクロマキー信号Ｃａを生成しないので、映像合成部４５は映像２の画素を選択して映像合成部４６に出力する。一方、このとき、図１８（ｄ）に示すように色相判別部４４がクロマキー信号Ｃｂを生成して映像合成部４６に入力するので、映像合成部４６は、図１８（ｅ）に示すように、映像３、すなわち、ＤＶＤ映像の画素を選択して、映像出力としてディスプレイ５に入力する。
これにより、図１９に示すように、ディスプレイ５にナビ画像の一部にＴＶ映像及びＤＶＤ映像が表示される状態となる。
【００５１】
上記の実施例では、映像２の一部分に映像１及び映像３を同時に表示する場合の動作について説明したが、映像２の一部分に映像１または映像３のみを同時に表示する場合の動作は、上記の実施例２の動作と略同様であるので、説明は省略する。
【００５２】
なお、上記の実施例では、本発明の映像表示装置を車載用表示装置に適用した例について説明し、映像としてＤＶＤ映像やテレビ映像、ナビ画像を例として説明したが、本発明の映像表示装置は、車載用表示装置以外の種々の映像表示装置に適用することが可能であり、また、映像としても種々の映像を使用することが可能である。
【図面の簡単な説明】
【００５３】
【図１】従来の映像切換装置を示す図。
【図２】図１の映像切換装置の画像切換え時のタイムチャート。
【図３】本発明の映像表示装置を適用した車載用表示装置の構成を示すブロック図。
【図４】映像処理ＬＳＩの重ね合わせ処理部１２の機能を示す機能ブロック図。
【図５】ＲＡＭ１１のデータ記憶状態を示す図。
【図６】ナビケーション装置３の構成を示すブロック図。
【図７】図３の車載用表示装置の画像切換え時のタイムチャート。
【図８】ユーザがナビ画像を選択している状態の画像合成例。
【図９】ユーザがＴＶ映像を選択している状態の画像合成例。
【図１０】図３の車載用表示装置の重ね合わせ表示時のタイムチャート。
【図１１】ナビ画像の一部分にＴＶ映像を表示している状態の画像合成例。
【図１２】重ね合わせ表示の他の例を説明するための図。
【図１３】本発明の映像表示装置の他の実施例の車載用表示装置の構成を示すブロック図。
【図１４】図１３の車載用表示装置の重ね合わせ処理部の機能を示す機能ブロック図。
【図１５】図１３の車載用表示装置のナビゲーション装置の構成を示すブロック図。
【図１６】図１３の車載用表示装置のＴＶ映像への切換え時のタイムチャート。
【図１７】図１３の車載用表示装置のＤＶＤ映像への切換え時のタイムチャート。
【図１８】図１３の車載用表示装置の重ね合わせ表示時のタイムチャート。
【図１９】ナビ画像の一部にＴＶ映像、ＤＶＤ映像を表示している状態の画像合成例。
【符号の説明】
【００５４】
１  映像処理ＬＳＩ
１１  ＲＡＭ
１２  重ね合わせ処理部
２１、４１、４２  クロマキー色指定部
２２、４３、４４  色相判別部
２３、４５、４６  映像合成部
２  ＴＶ受像機
３  ナビゲーション装置
３１  ナビ画像生成部
３２  クロマキー画像発生部
３３、４  ＣＰＵ
３４  操作部
５  ディスプレイ
６  ＤＶＤプレーヤ
【図１】
2008099254.tif 000003
【図２】
2008099254.tif 000004
【図３】
2008099254.tif 000005
【図４】
2008099254.tif 000006
【図５】
2008099254.tif 000007
【図６】
2008099254.tif 000008
【図７】
2008099254.tif 000009
【図８】
2008099254.tif 000010
【図９】
2008099254.tif 000011
【図１０】
2008099254.tif 000012
【図１１】
2008099254.tif 000013
【図１２】
2008099254.tif 000014
【図１３】
2008099254.tif 000015
【図１４】
2008099254.tif 000016
【図１５】
2008099254.tif 000017
【図１６】
2008099254.tif 000018
【図１７】
2008099254.tif 000019
【図１８】
2008099254.tif 000020
【図１９】
2008099254.tif 000021